(57)【要約】【課題】カートに取り付けることにより、非健常者であっても、カートを楽に移動させることができるようにするためのハンドルアタッチメント、キャスターアタッチメント及びカートを提供する。【解決手段】ショッピングカート１の本体１０の左右フレーム１１，１２において、使用者が腕を伸ばした状態で、上から体重を印加することができる位置にハンドルアタッチメント３を取り付ける。さらに、車輪（後輪）２０ａが設けられ、他端を左右支柱フレーム１１，１２に取り付けるようになっているキャスターアタッチメント５を取り付けることにより、後輪２０ａの位置をハンドルアタッチメント３の後端部の真下又はそれよりも後方に移動させる。これにより、非健常者が、腕を伸ばした状態でハンドルアタッチメント３を把握し、体重を掛けた状態で、ショッピングカート１が転倒することなく、安全、かつ、長時間に亘って楽に移動させることができるようになる。【選択図】図１
2015054539.tif 000002
【特許請求の範囲】
【請求項１】
本体の下端部の前部に設けられた前輪と、前記本体の下端部の後部に設けられた後輪と、前記本体の上部後端に取り付けられ、使用者が手で把握して押すハンドル部と、を有するカートに取り付けるハンドルアタッチメントであって、
前記本体の後部において、使用者が腕を伸ばした状態で、上から体重を印加することができる位置に、後ろ向きに取り付けることを特徴とするハンドルアタッチメント。
【請求項２】
請求項１に記載のハンドルアタッチメントとともに用いられるキャスターアタッチメントであって、
一端に車輪が設けられ、他端を前記本体の後輪の代わりに取り付けることにより、前記車輪の位置を前記ハンドルアタッチメントの後端部の真下又はそれよりも後方に移動させることを特徴とするキャスターアタッチメント。
【請求項３】
請求項１に記載のハンドルアタッチメントと請求項２に記載のキャスターアタッチメントを用いたことを特徴とするカート。
【請求項４】
本体の下端部の前部に設けられた前輪と、前記本体の下端部の後部に設けられた後輪と、使用者が両手で把握して押すハンドル部と、を有するカートであって、
前記ハンドル部は、前記本体の上部後端の２カ所に、使用者がその間に入り、腕を伸ばした状態で、上から体重を印加することができる長さで、後ろ向きに取り付けられ、
前記後輪は、前記本体の後部の下端部から後方に延長された部材により、前記ハンドル部の後端部の真下又はそれよりも後方の位置に取り付けられていることを特徴とするカート。
【発明の詳細な説明】
【技術分野】
【０００１】
本発明は、買物用などのカートに取付け、非健常者や老人のカート移動を容易にするとともに、下肢不自由者や脳障害者などの買い物とリハビリ運動が同時に行え、長時間の下肢の動きがスムーズになるためのハンドルアタッチメント、キャスターアタッチメント及びカートに関する。
【背景技術】
【０００２】
従来、前部に荷物用のカゴが設けられ、使用者がハンドルを握って押すことにより、購買した荷物をカゴにいれて容易に移動できるようにした４輪のショッピングカートがあった（例えば特許文献１参照）。
【先行技術文献】
【特許文献】
【０００３】
【特許文献１】特開２００８−１２０１９１号公報
【発明の概要】
【発明が解決しようとする課題】
【０００４】
ところが、上記従来のショッピングカートでは、使用者が押すために握るハンドルの位置が使用者の前方上部に位置しているため、ショッピングカートを前進させるためには、ハンドルを握って腕を曲げる必要があり、ほとんどの体重が両足、腰に掛かる。したがって、使用者が健常者である場合には、容易にハンドルを握って体重を前方に掛け、ショッピングカートを前進させることができる。
【０００５】
ところが、使用者が老人であったり、脚や腰に障害があったりする非健常者の場合には、カートのハンドルを握って前方に移動させる場合には、体重を両足、腰にかけられないため、曲げた腕にほとんどの体重が掛かり、たとえ数歩であってもカートを前進させることが容易ではないという問題があった。
【０００６】
本発明は、こうした問題に鑑みなされたもので、カートに取り付けることにより、非健常者であっても、カートを楽に移動させることができ、さらに、非健常者のリハビリ運動をも可能とするためのハンドルアタッチメント、キャスターアタッチメント及びカートを提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた発明は、本体（１０）の下端部の前部に設けられた前輪（２０ｂ）と、本体（１０）の下端部の後部に設けられた後輪（２０ｃ）と、本体（１０）の上部後端に取り付けられ、使用者が手で把握して押すハンドル部（１４）と、を有するカート（１）に取り付けるハンドルアタッチメント（３）であって、本体（１０）の後部において、使用者が腕を伸ばした状態で、上から体重を印加することができる位置に、後ろ向きに取り付けることを特徴とするハンドルアタッチメント（３）である。
【０００９】
このようなハンドルアタッチメント（３）は、カート（１）の本体（１０）の後部で、使用者が腕を伸ばした状態で、上から体重を印加することができる位置に、後ろ向きに取り付けられている。
【００１０】
したがって、使用者は腕を伸ばした状態で、自らの体重をハンドルアタッチメント（３）に加えることができる。換言すれば、腕とともに体を伸ばした状態で、自らの体重をハンドルアタッチメント（３）で支えることができる。
【００１１】
つまり、従来のカートにように、ハンドル部（１４）を、腕を曲げて、体を前屈みの状態でカートを押しながら前進させる場合に比べ、体を伸ばしたままカート（１）を前進させることができる。
【００１２】
したがって、健常者だけでなく、脚や腰に障害がある非健常者や老人であっても容易、かつ、長時間に亘って楽にカート（１）を移動させることができるようになる。
ところで、ハンドルアタッチメント（３）を取り付けた場合、ハンドルアタッチメント（３）が長いと、使用者の体重が掛かる位置が、後輪（２０ｃ）よりも後ろとなり、カート（１）が後輪（２０ｃ）を回転中心として、後ろに転倒することが考えられる。
【００１３】
そこで、請求項２に記載のように、ハンドルアタッチメント（３）とともに用いられるキャスターアタッチメント（５）であって、一端に車輪（２０ａ）が設けられ、他端を本体（１０）の後輪（２０ｃ）の代わりに取り付けることにより、車輪（２０ａ）の位置をハンドルアタッチメント（３）の後端部の真下又はそれよりも後方に移動させるようにするとよい。
【００１４】
このようにすると、ハンドルアタッチメント（３）を長くして、使用者の体重がその後端部に印加されたとしても、キャスターアタッチメント（５）の車輪（２０ａ）の位置が、ハンドルアタッチメント（３）の後端部の位置よりも後ろにあるため、車輪（２０ａ）を回転中心として、カート（１）が転倒することがなくなり、安全である。
【００１５】
請求項３に記載のカート（１）は、請求項１に記載のハンドルアタッチメント（３）と請求項２に記載のキャスターアタッチメント（５）を用いたカート（１）である。このようなカート（１）は、請求項１に記載のハンドルアタッチメント（３）と請求項２のキャスターアタッチメント（５）の効果を有するカート（１）とすることができる。
【００１６】
請求項４に記載の発明は、本体（１０）の下端部の前部に設けられた前輪（２０ｂ）と、本体（１０）の下端部の後部に設けられた後輪（２０ｃ）と、使用者が両手で把握して押すハンドル部（１４）と、を有するカート（２）であって、ハンドル部（３０）は、本体（１０）の上部後端の２カ所に、使用者がその間に入り、腕を伸ばした状態で、上から体重を印加することができる長さで、後ろ向きに取り付けられ、後輪（２０ｃ）は、本体（１０）の後部の下端部から後方に延長された部材（４０）により、ハンドル部（３０）の後端部の真下又はそれよりも後方の位置に取り付けられていることを特徴とするカート（２）である。
【００１７】
このようなカート（２）によれば、請求項３に記載のカート（１）と同様の効果を得ることができる。
【図面の簡単な説明】
【００１８】
【図１】ショッピングカートの概略の構成を示す外観図である。
【図２】ハンドルアタッチメントの概略の構成を示す外観図である。
【図３】キャスターアタッチメントの概略の構成を示す外観図である。
【図４】第２実施形態におけるショッピングカートの概略の構成を示す外観図である。
【図５】ハンドルアタッチメントのその他の実施形態の構成を示す外観図である。
【発明を実施するための形態】
【００１９】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、本発明が適用されたショッピングカート１の概略の構成を示す外観図である。図１に示すように、ショッピングカート１は、本体１０、ハンドル１４、ハンドルアタッチメント３及びキャスターアタッチメント５を備えている。
【００２０】
本体１０は、右支柱フレーム１１、左支柱フレーム１２、ハンドル１４、カゴ部１６及び下部フレーム１８、前輪２０ｂ、後輪２０ａから構成される。
左右支柱フレーム１１，１２は、スチールなどの金属製のフレームを略「く」の字形状に形成し、その下端部に、後述するキャスターアタッチメント５を介して後輪２０ａを装着してある。
【００２１】
左右支柱フレーム１１，１２の上端部には、ハンドル１４が架け渡す形で設けられており、健常者などは、通常、このハンドル１４を手で把握して押すことにより、ショッピングカート１を移動させるようになっている。
【００２２】
また、左右支柱フレーム１１，１２は、略「く」の字形状の角部が前方になるように配置されており、カゴ部１６を取り付ける部分は、後方に傾斜しており、使用者がハンドル１４を把握してショッピングカート１を動かしやすいようになっている。
【００２３】
また、左右支柱フレーム１１，１２において下部フレーム１８を取り付ける部分は、床面にほぼ垂直になっており、下端部分にキャスターアタッチメント５が取り付けられている。
【００２４】
さらに、左右支柱フレーム１１，１２のハンドル１４より下側に、ハンドルアタッチメント３が後ろ向きに取り付けられている。
ここで、図２に基づき、ハンドルアタッチメント３について説明する。図２（ａ）は、ハンドルアタッチメント３の平面図であり、図２（ｂ）は、側面図である。
【００２５】
図２に示すように、ハンドルアタッチメント３は、使用者が把握する金属製の棒状の把握部３ａと、把握部３ａの一端に、ハンドルアタッチメント３を左右支柱フレーム１１，１２に固定するための固定部３ｂを備えている。
【００２６】
固定部３ｂは、左右支柱フレーム１１，１２を挟むための固定用部材３ｃと、固定用部材３ｃを締め付け、左右支柱フレーム１１，１２に固定するボルト３ｄと、を備えている。
【００２７】
この固定部３ｂの固定用部材３ｃで左右支柱フレーム１１，１２を挟んだ状態で、ボルト３ｄを緩めることにより、ハンドルアタッチメント３を左右支柱フレーム１１，１２において上下させ、取付位置を変えることができるようになっている。
【００２８】
ハンドルアタッチメント３の取付位置は、左右支柱フレーム１１，１２において、使用者が腕を伸ばした状態で、上から体重を印加することができる位置とする。
下部フレーム１８は、スチールなどの金属製の棒材を略矩形状に形成したものであり、左右支柱フレーム１１，１２の下端部分に水平面（床面）と平行になるように、前方に向けて取り付けられている。そして、下部フレーム１８の前端部には、１対の前輪２０ｂが装着されている。
【００２９】
カゴ部１６は、スチールなどの金属製の棒材をカゴ状に形成したものであり、左右支柱フレーム１１，１２の上部かつ前部に、前方に向けて取り付けられている。このカゴ部１６は、カゴ状であるため、買物をした物を入れて運搬できるようになっている。
【００３０】
キャスターアタッチメント５は、一端に車輪２０ａ(後輪２０ａ）が設けられ、他端をショッピングカート１の後輪２０ｃの代わりに取り付けることにより、後輪２０ａの位置をハンドルアタッチメント３の後端部の真下又はそれよりも後方に移動させるものである。
【００３１】
ここで、図３に基づき、キャスターアタッチメント５について説明する。図３は、キャスターアタッチメント５（図１中「Ａ」で示す部分）の拡大図である。
図３に示すように、キャスターアタッチメント５は、スチールなどの金属製のフレーム材であり、一端に後輪２０ａが装着されており、他端が左右支柱フレーム１１，１２の下端部に装着されている。
【００３２】
このとき、後輪２０ａが装着されている側の端部がショッピングカート１の後部に向かうように装着する。
これにより、通常のカートの場合、図３中に一点鎖線で示すように、左右支柱フレーム１１，１２の０下端部に装着される後輪２０ａの位置が実線で示すように、左右支柱フレーム１１，１２の後端部から後ろ側に離れた位置となる（図３中矢印で示す）。
【００３３】
なお、前輪２０ｂ及び後輪２０ｃは、いわゆるキャスターであり、その回転方向が３６０度自由に回転できるようになっており、使用者がハンドル１４やハンドルアタッチメント３に加える力を加減することによりショッピングカート１の方向を自由に決めることができるようになっている。
（ショッピングカート１の特徴）
以上のようなショッピングカート１では、左右支柱フレーム１１，１２において、使用者が腕を伸ばした状態で、上から体重を印加することができる位置にハンドルアタッチメント３が取り付けられている。
【００３４】
したがって、使用者は、腕とともに体を伸ばした状態で、自らの体重をハンドルアタッチメント３で支えることができる。つまり、従来のカートにように、ハンドル１４を掴み、体を前屈みの状態としつつ、カートを押しながら前進させる場合に比べ、体や腕を伸ばしたままほとんどの体重をハンドルアタッチメント３で支えることができるので、ショッピングカート１を容易に前進させることができる。
【００３５】
したがって、健常者だけでなく、脚や腰に障害がある非健常者や老人であっても容易、かつ、楽（つまり長時間に亘って）にショッピングカート１を移動させることができるようになる。換言すれば、身体弱者の買物を容易にすることができる。さらに、非健常者のリハビリ運動をも可能とすることができる。
【００３６】
また、左右支柱フレーム１１，１２の下端部には、キャスターアタッチメント５が装着されている。したがって、ハンドルアタッチメント３を長くして、使用者の体重がその後端部に印加されたとしても、キャスターアタッチメント５の後輪２０ａの位置が、ハンドルアタッチメント３の後端部の位置よりも後ろにあるため、後輪２０ａを回転中心として、ショッピングカート１が転倒することがなくなり、安全である。
【００３７】
さらに、ハンドルアタッチメント３やキャスターアタッチメント５を用いることにより、例えば、ショッピングセンタなどに備えられているショッピングカートを全て交換することなく、身体弱者の買物を容易にすることや非健常者のリハビリ運動を可能とすることができるようになる。
【００３８】
今後のカートは、ほとんどの体重を腕で支えられるカートに移行するものと考えられる。
［第２実施形態］
次に図４に基づき、第２実施形態におけるショッピングカート２について説明する。第２実施形態におけるショッピングカート２は、第１実施形態におけるショッピングカート１とその構造が類似しているため、同じ構成品には同じ符号を付し、その説明を省略する。
【００３９】
図４に示すように、ショッピングカート２は、第１実施形態におけるショッピングカート１のハンドル１４の代わりに、ハンドル３０が、本体１０の左右支柱フレーム１１，１２のそれぞれの上部に、後ろ向きに取り付けられている。
【００４０】
ハンドル３０の長さは、使用者が左右のハンドル３０の間に入り、腕を伸ばした状態で、上から体重を印加することができる長さとなっている。
また、後輪２０ｃは、本体１０の左右支柱フレーム１１，１２の下端部から後方に延長された部材４０の先端（後端）近傍に取り付けられている。また、後輪２０ｃは、ハンドル３０の後端部の真下又はそれよりも後方の位置に取り付けられている。
【００４１】
このようなショッピングカート２によっても、第１実施形態におけるショッピングカート１と同様の効果を得ることができる。
［その他の実施形態］
以上、本発明の実施形態について説明したが、本発明は、本実施形態に限定されるものではなく、種々の態様を採ることができる。
（１）上記実施形態では、ハンドルアタッチメント３及びキャスターアタッチメント５をショッピングカート１に装着するとしたが、ショッピングカート１以外にも、前部及び後部に車輪（３輪又は４輪など）が装着されたカート、例えば、介護用カートなどに装着してもよい。
（２）上記実施形態では、ハンドルアタッチメント３、キャスターアタッチメント５、左右支柱フレーム１１，１２、カゴ部１６、下部フレーム１８、は、スチールなどの金属製とでぃていたが、それぞれ必要な強度をえることができる材料であれば、例えば、強化プラスチックなど金属以外の材料を用いてもよい。
（３）上記実施形態以外にも、図５に示すように、ハンドルアタッチメント３の後端部あるいは後端部近傍から下方に棒材５０を回動可能に取付け（換言すれば、図５中矢印で示すように、折り畳み可能となるように）、棒材５０の先端に車輪５２を設けるようにしてもよい。
（４）第１実施形態では、ショッピングカート１の後輪２０ｃの代わりに車輪２０ａ（後輪２０ａ）を取り付けたが、後輪２０ｃを車輪２０ａの代わりに使用してもよい。
【符号の説明】
【００４２】
１,２… ショッピングカート  ３… ハンドルアタッチメント  ３ａ… 把握部  ３ｂ… 固定部  ３ｃ… 固定用部材  ３ｄ… ボルト  ５… キャスターアタッチメント  １０… 本体  １１… 右支柱フレーム  １２… 左支柱フレーム  １４… ハンドル  １６… カゴ部  １８… 下部フレーム  ２０… 車輪  ２０ａ… 車輪（後輪）  ２０ｂ… 前輪  ２０ｃ… 後輪  ３０… ハンドル  ４０… 部材  ５０… 棒材  ５２… 車輪。
【図１】
2015054539.tif 000003
【図２】
2015054539.tif 000004
【図３】
2015054539.tif 000005
【図４】
2015054539.tif 000006
【図５】
2015054539.tif 000007